(57)【要約】【課題】  寝台に敷いた寝具等が睡眠中にかく汗による湿気や臭い等の付着により寝床周辺の環境が悪化するのを防止するため、寝具等の脱臭及び乾燥を行うことができる脱臭装置付き寝台を提供する。【解決手段】  寝台１の下部に開口部を上面に有する収納庫２を備え、この収納庫２の開口部を開閉可能な台板６を備えた収納庫付き寝台において、台板６の内部に脱臭ユニット７を設けるとともに、収納庫２底部に発熱体１３を設ける。台板６を複数に分割し、そのうちの１つの台板６ｂに脱臭ユニット７を設ける。【選択図】  図１
2005211255.tif 000002
【特許請求の範囲】
【請求項１】
寝台（１）の下部に開口部を上面に有する収納庫（２）を備え、この収納庫（２）の開口部を開閉可能な台板（６）を備えた収納庫付き寝台において、台板（６）の内部に脱臭ユニット（７）を設けるとともに、収納庫（２）底部に発熱体（１３）を設けたことを特徴とする脱臭装置付き寝台。
【請求項２】
台板（６）を複数に分割し、そのうちの１つの台板（６ｂ）に脱臭ユニット（７）を設けたことを特徴とする請求項１項に記載の脱臭装置付き寝台。
【請求項３】
収納庫（２）の底部に空気流入口（４）を設けたことを特徴とする請求項１項に記載の脱臭装置付き寝台。
【請求項４】
発熱体（１３）が通気性のシート（１５）に固着されたことを特徴とする請求項１項に記載の脱臭装置付き寝台。
【発明の詳細な説明】
【技術分野】
【０００１】
本発明は、寝具及び寝台の周辺環境の改善に関し、特に寝具の脱臭及び乾燥を行おうとするものである。
【背景技術】
【０００２】
人は一晩の睡眠中に約２００ＣＣの汗をかくといわれている。そして、この様な汗の状態で何日か寝具が使用されると、汗臭さの元となる黄色ブドウ状球菌が寝具内で増加し、それがカビやダニを作る原因となる。また、湿気や汗の塩分により寝具の羊毛や羽毛の復元力を低下させる原因となる。
【０００３】
また、汗臭さや尿などの排泄物の臭いが寝具に付着して臭ったり、寝具自体の材料の臭い（例えば羽毛の臭い）もわずかながら生ずる場合がある。
【０００４】
このような寝具及び寝台の周辺環境を悪化させる要因を取り除き快適な環境を得るために、寝具を乾燥させ、また、臭いを除去するようにしたものが脱臭装置付き寝台である。
【０００５】
従来のこの種の脱臭装置付き寝台は、寝台の上板を格子状の空気孔を備えた板にしておき、外部から温風をホースで寝台に引き込み、寝台の上板の空気孔から温風を吹き出し、寝台の上板上に敷かれた寝具類を乾燥させる方式が提案されている（例えば、特許文献１参照）。
【０００６】
また、寝台の上板の下方にダクトを設け、ダクトの上壁と上板のそれぞれに空気孔を設け、この両方の空気孔から空気をダクトの出口近傍に設けた脱臭装置が取り付けられた吸気装置で吸引することにより上板の上に敷いた寝具の中の空気を吸引することにより寝具を乾燥させる方式が提案されている（例えば、特許文献２参照）。
【０００７】
【特許文献１】特開２００１−３４０１７０号公報
【０００８】
【特許文献２】特開平０６−１４８２５号公報
【発明の開示】
【発明が解決しようとする課題】
【０００９】
しかしながら、上記の従来技術において、前者のものは、上板上に敷いた寝具全体を乾燥するためには、上板上の全面から一定量の温風を吹き出さなくてはいけないために大容量の送風機が必要となり、本体が大型になっていた。
【００１０】
また、寝具から温風が吹き出すことにより寝具に付着した臭気が部屋に拡散するため臭うという問題点があった。
【００１１】
また、後者のものは、寝具の中の空気を吸引することにより、新しい空気が寝具内に入り寝具を乾燥させるものであり、寝室の空気の湿度が高い場合は寝具の乾燥度合いをそれ程高くできず、乾燥が不完全となっていた。
【課題を解決するための手段】
【００１２】
本発明は上記の問題を解決するためになされたものであり、請求項１では、寝台の下部に開口部を上面に有する収納庫を備え，この収納庫の開口部を開閉可能な台板を備えた収納庫付き寝台において、台板の内部に脱臭ユニット７を設けるとともに、収納庫底部に発熱体を設けたものである。
【００１３】
また、請求項２では台板を複数に分割し、そのうちの１つの台板に脱臭ユニットを設けたものである。
【００１４】
また、請求項３では収納庫の底部に空気流入口を設けたものである。
【００１５】
また、請求項４では発熱体が通気性のシートに固着されたものである。
【発明の効果】
【００１６】
本発明の脱臭装置付き寝台は、上記のように構成したことにより、就寝時に人体から放出された汗等の臭いと水分が付着した寝具を収納庫に入れ、脱臭ユニットを運転することにより、効率よく吸気して乾燥させ脱臭することが可能であり、寝具のいやな臭いが軽減できる。
【００１７】
また、脱臭ユニットの運転時に臭気が部屋に漏れることを無くせるため使い勝手が非常に良い。
【００１８】
また、収納庫内の狭い空間に収納して湿気や臭気を脱臭ユニットで効率よく吸気して乾燥させ、また脱臭することが可能となるため、脱臭ユニットはそれ程大型にする必要はない。
【００１９】
また、収納庫の底部を全面加熱する発熱体を設けて寝具を加熱することにより、効率よく乾燥し、脱臭することができる。
【００２０】
また、収納庫の底部に空気流入口を設けるとともに、収納庫の底部を全面加熱する通気性のシートに固着した発熱体を設けたことにより、発熱体による加熱と、収納物の寝具の中を通過する空気の流れにより、効率よく乾燥し、脱臭することができる。
【発明を実施するための最良の形態】
【００２１】
以下、本発明の一実施例を図１〜４を参照して説明する。図１は本発明の一実施例を説明する脱臭装置付き寝台の縦断面図、図２は同じく斜視図、図３（ａ）は同じく脱臭ユニットの横断面図、図３（ｂ）は同じく脱臭ユニットの側面図、図４は同じく脱臭装置付き寝台の折りたたみ時の斜視図である。
【００２２】
図において、１は寝台。２は開口部を上面に有する箱状の収納庫で、寝台１の下部に備えられていて、基収納庫２ａと可動収納庫２ｂに別れており、可動収納庫２ｂは基収納庫２ａの内部に引き出しの様に収納することができるものである。
【００２３】
３は寝台１の脚部で、内部に車が付いていて寝台１の設置場所を簡単に移動することができるとともに、可動収納庫２ｂを基収納庫２ａの内部に収納する時可動収納庫２ｂを手で押すことにより簡単に収納することができるものである。
【００２４】
４は収納庫２の底面に開けられた空気流入口で、ここから空気が収納庫２内に流入することができる。
【００２５】
５は収納庫２内の収納物である寝具で、寝台１の上に敷く寝具等を収納庫２に収納することができる。
【００２６】
６は台板で、収納庫２の上面開口部を開閉可能であり、収納庫２の内部に部屋を形成することができるとともに、後記する脱臭ユニット７を収納できる厚みと、人が収納庫２を覆った台板６の上に乗っても大丈夫である強度を有している。そして、台板６は６ａ，６ｂ，６ｃの３つに分割されていて、夫々は蝶番１７で接続され、可動収納庫２ｂを基収納庫２ａの内部に収納する場合、台板６は図４に示すように折り畳んで収納庫２の上に立てかけることができるものである。
【００２７】
７は脱臭ユニットで、台板６ｂの内部に設けられ、ファンモータ８と、ファンモータ８の排気路９内に設けられた脱臭要素１０と、脱臭した空気を外部に排気する放出口１１と、ファンモータ８の吸気口１２と、ファンモータ８や脱臭要素１０、後記する発熱体１３等の動作を制御する制御部１６とから構成されている。
【００２８】
そして、脱臭要素１０の詳細について説明すると、入口側には化学的脱臭要素が備えてあり、圧力損失の小さいハニカム状の多孔質アルミナ磁器に、低温で触媒活性が得られるマンガン系酸化物材料の二酸化マンガンをプラズマ溶射や塗布高温焼成等の方法により担持させ、主要な悪臭要素である硫化水素、メチルメルカプタン、硫化メチル、二硫化ジメチル等の脱臭に効果を持たせている。また、出口側には物理的脱臭要素が備えてあり、活性炭層を設けてアンモニアやアセトアルデヒドなどのアルデヒド類を吸着させ脱臭させるようにしている。
【００２９】
１３は発熱体で、コードヒータで構成され収納庫２の底部の全面を加熱するように蛇行して配設されている。そして、発熱体１３は基収納庫２ａと、可動収納庫２ｂ用に２つに分割されていて、可動収納庫２ｂを基収納庫２ａの内部に収納するとき邪魔にならないようにしている。
【００３０】
また、発熱体１３の近傍には発熱体１３の温度を検知しその信号を制御部１６に伝える温度センサ（図示せず）が設けられていて、発熱体１３の温度が一定になるように制御部１６で制御している。
【００３１】
１５はコードヒータの発熱体１３を保持するシートで、通気性を有していて空気流入口３から流入する空気はこのシート１５を通して流入する。
【００３２】
次に、以上の構成による作用を説明する。
【００３３】
吸湿した布団や衣類等を収納庫２に入れた状態で運転を開始すると、ファンモータ８と、発熱体１３が通電され、収納庫２内の空気は発熱体１３で温められ、体積が膨張して密度が小さくなるため上昇し、この上昇する空気は布団や衣類等の水分を含み多湿空気となって台板６の下面に到達する。
【００３４】
そして、台板６に設けられた脱臭ユニット７のファンモータ８により吸気口１２から吸引され、排気路９の途中に設けられた脱臭要素１０に導かれる。
【００３５】
そして、脱臭要素１０では最初に化学的脱臭要素であるハニカム状触媒に臭気が導かれ、低温で作動する酸化触媒の作用によってメチルメルカプタンや硫化水素などの臭気成分が酸化されて無臭の成分に変化する。更に物理的脱臭要素である活性炭層に導かれてアンモニアやアセトアルデヒドなどの成分が活性炭に吸着され、それらの臭気が無臭となり放出口１１から寝台１外の室内に放出される。
【００３６】
そして、収納庫２内の気圧は放出された多湿空気の分だけ室内より気圧が低くなり、その結果、収納庫２の底面に設けられた空気流入口４から室内の空気が収納庫２内に取り入れられる。
【００３７】
なお、制御部１６は温度センサにより発熱体１３の温度を検知し、発熱体１３の通電率を制御して温度コントロールし、収納庫２内の布団や衣類等が良好に乾燥するようにしている。
【００３８】
したがって、就寝時に人体から放出された汗等の臭いと水分が付着した寝具５を収納庫２に入れ、脱臭ユニット７を運転することにより、効率よく吸気して乾燥させ脱臭することが可能であり、寝具５のいやな臭いが軽減できる。
【００３９】
また、脱臭ユニット７の運転時に臭気が部屋に漏れることを無くせるため使い勝手が非常に良い。
【００４０】
また、収納庫２内の狭い空間に収納して湿気や臭気を脱臭ユニット７で効率よく吸気して乾燥させ、また脱臭することが可能となるため、脱臭ユニット７はそれ程大型にする必要はない。
【００４１】
また、収納庫２の底部を全面加熱する発熱体１３を設けて寝具５を加熱することにより、効率よく乾燥し、脱臭することができる。
【００４２】
また、収納庫２の底部に空気流入口４を設けるとともに、収納庫２の底部を全面加熱する通気性のシート１５に固着した発熱体１３を設けたことにより、発熱体１３による加熱と、収納物の寝具５の中を通過する空気の流れにより、効率よく乾燥し、脱臭することができる。
【図面の簡単な説明】
【００４３】
【図１】本発明の一実施例を説明する脱臭装置付き寝台の縦断面図である。
【図２】同じく斜視図である。
【図３】（ａ）は同じく脱臭ユニットの横断面図、（ｂ）は同じく脱臭ユニットの側面図である。
【図４】同じく脱臭装置付き寝台の折りたたみ時の斜視図である。
【符号の説明】
【００４４】
１    寝台
２    収納庫
４    空気流入口
６    台板
６ｂ  台板
７    脱臭ユニット
１３  発熱体
１５  シート
【図１】
2005211255.tif 000003
【図２】
2005211255.tif 000004
【図３】
2005211255.tif 000005
【図４】
2005211255.tif 000006